(57)【要約】【課題】フィンガガード上に堆積した埃がより一層大きくなり難い照明器具及び照明装置を提供する。【解決手段】照明装置は、点灯中に光源から発せられる熱を放出する放熱部２１と、放熱部２１に向けて送風するためのファン１１０を有する軸流ファンユニット２９と、ファン１１０を基準にして放熱部２１と反対側に設けられ且つファン１１０に指が接触するのを防止するフィンガガード１２１とを備え、ファン１１０は、回転中心に存する回転基部１０９と、回転基部１０９から半径方向に放射状に延出する羽根１０３とを有し、フィンガガード１２１は、回転中心上に板状部１２３を有し、板状部１２３を回転中心上から見たときに、板状部１２３の外周縁が回転基部１０９の外周縁より外側に位置する。【選択図】図３
2014071980.tif 000002
【特許請求の範囲】
【請求項１】
点灯中に光源から発せられる熱を放出する放熱部と、
前記放熱部に向けて送風するためのファンを有する軸流ファンユニットと、
前記ファンを基準にして前記放熱部と反対側に設けられたフィンガガードと
を備え、
前記ファンは、回転中心に存する回転基部と、当該回転基部から半径方向に放射状に延出する羽根とを有し、
前記フィンガガードは、前記回転中心上に板状部を有し、
前記板状部を前記回転中心上から見たときに、前記板状部の外周縁が前記回転基部の外周縁より外側に位置する
ことを特徴とする照明器具。
【請求項２】
前記フィンガガードは、前記回転中心上から見たときに、前記板状部の外側であって前記ファンと重なる領域に、網状部を有する
ことを特徴とする請求項１に記載の照明器具。
【請求項３】
前記回転基部は有蓋円筒状をし、
前記板状部は円形状をし、
前記板状部の直径は、前記回転基部の円筒部分の外径に対して３倍以下である
ことを特徴とする請求項１又は２に記載の照明器具。
【請求項４】
前記板状部と前記回転基部との最短間隔は、１ｍｍ以上３０ｍｍ以下である
ことを特徴とする請求項１〜３のいずれか１項に記載の照明器具。
【請求項５】
前記フィンガガードの表面には防汚機能を有するコーティングがなされている
ことを特徴とする請求項１〜４のいずれか１項に記載の照明器具。
【請求項６】
前記軸流ファンユニットは、定期的あるいは電源ＯＮ／ＯＦＦに連動して一定の時間だけ、前記放熱部に向けて送風する際の前記ファンの回転方向と逆方向に、前記ファンを回転する機能を有する
ことを特徴とする請求項１〜５のいずれか１項に記載の照明器具。
【請求項７】
光源を有する照明器具と、前記光源を点灯させる電源ユニットとを備える照明装置において、
前記照明器具は、請求項１〜６のいずれか１項に記載の照明器具であり、
前記照明器具と前記電源ユニットとの少なくとも一方は、軸流ファンユニットのファンの回転方向を切り替える切替機能を有する
ことを特徴とする照明装置。
【発明の詳細な説明】
【技術分野】
【０００１】
本発明は、点灯時の光源からの熱を放出する放熱部と軸流ファンユニットとを備える照明器具及び照明装置に関する。
【背景技術】
【０００２】
半導体発光素子の１つであるＬＥＤを光源として利用する照明装置が提案されている。なお、ＬＥＤは、白熱電球と比較して、効率、寿命の点で優れた特性を有しているが、発光時に自己発熱し、温度が上昇すると前記特性は悪くなる。
近年、高出力化の要望に対応した照明装置として、点灯時のＬＥＤの熱を放出するためのフィンと、フィン周辺の空気を流動させる軸流ファンユニットとを備えたものが検討されている（例えば特許文献１）。
【０００３】
特許文献１に記載されている照明装置は、所謂ダウンライトタイプであり、器具本体、発光モジュール、軸流ファンユニットを備える。器具本体は、天井等に装着され、ＬＥＤを備える発光モジュールを装着するための装着部を表側に有し、その裏側に複数のフィンが形成されたフィン部を有する。このフィン部に軸流ファンユニットが取り付けられている。
【先行技術文献】
【特許文献】
【０００４】
【特許文献１】実用新案登録第３１６３２６６号公報
【特許文献２】実開昭６１−１４２２９０号公報
【発明の概要】
【発明が解決しようとする課題】
【０００５】
点灯時に発光モジュール（ＬＥＤ）から発生した熱は、装着部を介してフィン部に伝導され、フィン部から周辺空気へと放出される。軸流ファンユニットは、フィン部に空気を送風し、フィンと周辺空気との熱交換を促進する。なお、フィンに向けて送風する際の羽根の回転方向を正回転とする。
照明装置は、一般的にファンを覆う網状のフィンガガードを有している。これはファンの回転領域内に指等が進入するのを防止するためである。
【０００６】
また一定時間の間ファンを逆回転させて、堆積した埃を除去する（吹き飛ばす）、所謂セルフクリーニングが提案されている。なお、フィンガガードなどの通気部分に埃が堆積すると、軸流ファンユニットへ空気が流入し難くなる。その結果、吸引側での通気抵抗が増大し、冷却機能が低下する。
上記のように、軸流ファンユニットのファンを逆回転させることで、フィンガガード上の埃を吹き飛ばし、フィンガガード上に堆積する埃が大きくなるのを遅らせることができる。
【０００７】
しかし、フィンガガード上に埃が堆積することに変わりなく、長期間に亘って使用していると、徐々に堆積した埃が大きくなり、結果的に、冷却機能が低下し、照明装置の出力が低下するという課題がある。
なお、光源として長寿命なＬＥＤを利用した場合、照明装置の出力低下は、ＬＥＤやファンが寿命に達する以前に到来するものであり、ＬＥＤの長寿命特性を十分に生かしているとは言えない。
【０００８】
このような課題は、ダウンライトタイプの照明器具及び照明装置に限定して生じるものではなくフィンガガードと軸流ファンユニットとを有する照明器具及び照明装置であれば生じ得る。
本発明は上記課題に鑑みてなされたものであり、フィンガガード上に堆積した埃がより一層大きくなり難い照明器具及び照明装置を提供することを目的とする。
【課題を解決するための手段】
【０００９】
上記課題を解決するため、本発明の一態様の照明器具は、点灯中に光源から発せられる熱を放出する放熱部と、前記放熱部に向けて送風するためのファンを有する軸流ファンユニットと、前記ファンを基準にして前記放熱部と反対側に設けられたフィンガガードとを備え、前記ファンは、回転中心に存する回転基部と、当該回転基部から半径方向に放射状に延出する羽根とを有し、前記フィンガガードは、前記回転中心上に板状部を有し、前記板状部を前記回転中心上から見たときに、前記板状部の外周縁が前記回転基部の外周縁より外側に位置する。
【００１０】
また、上記課題を解決するため、本発明の一態様の照明装置は、光源を有する照明器具と、前記光源を点灯させる電源ユニットとを備える照明装置において、前記照明器具は、上記に記載の照明器具であり、前記照明器具と前記電源ユニットとの少なくとも一方は、軸流ファンユニットのファンの回転方向を切り替える切替機能を有する。
【発明の効果】
【００１１】
上記構成を有する本発明の照明器具及び照明装置は、板状部を回転中心上から見たときに、板状部の外周縁が回転基部の外周縁より外側に位置している。これにより、フィンガガードに埃が蓄積しにくくなり、埃が大きくなるのを遅くすることができる。
【図面の簡単な説明】
【００１２】
【図１】第１の実施形態に係る照明装置の斜視図である。
【図２】照明器具を発光部側から見た斜視図である。
【図３】（ａ）は照明器具の断面図であり、（ｂ）は照明器具の平面図である。
【図４】照明器具の分解斜視図である。
【図５】回路部の回路構成図である。
【図６】制御回路のフローチャートである。
【図７】照明装置を長期間使用した際の埃の蓄積量を説明する図である。
【図８】ファンの回転中の空気の流れを示した図であり、（ａ）はファンを正回転させた場合を示し、（ｂ）はファンを逆回転させた場合を示している。
【図９】ファンが逆回転時の空気の流れを示し、（ａ）は従来品の場合を示し、（ｂ）は実施品の場合を示している。
【図１０】第２の実施形態に係る照明器具であり、（ａ）は断面図、（ｂ）は平面図の一部である。
【図１１】第２の実施形態に係る照明装置を長期間使用した際の埃の蓄積量を説明する図である。
【図１２】変形例１に係る照明器具の斜視図である。
【図１３】変形例２に係る軸流ファンユニットを上方から見た図である。
【図１４】変形例３に係るフィンの平面図である。
【図１５】変形例４に係るファンの平面図である。
【図１６】変形例５に係るフィンを有する照明器具の断面図である。
【図１７】変形例６に係るフィンガガードの平面図である。
【図１８】変形例７に係るフィンガガードの平面図である。
【発明を実施するための形態】
【００１３】
＜本発明の一態様の概要＞
本発明の一態様に係る照明器具は、点灯中に光源から発せられる熱を放出する放熱部と、前記放熱部に向けて送風するためのファンを有する軸流ファンユニットと、前記ファンを基準にして前記放熱部と反対側に設けられたフィンガガードとを備え、前記ファンは、回転中心に存する回転基部と、当該回転基部から半径方向に放射状に延出する羽根とを有し、前記フィンガガードは、前記回転中心上に板状部を有し、前記板状部を前記回転中心上から見たときに、前記板状部の外周縁が前記回転基部の外周縁より外側に位置する。
【００１４】
また、前記フィンガガードは、前記回転中心上から見たときに、前記板状部の外側であって前記ファンと重なる領域に、網状部を有する。これにより、人の指等の進入を阻止することができる。
さらに、前記回転基部は有蓋円筒状をし、前記板状部は円形状をし、前記板状部の直径は、前記回転基部の円筒部分の外径に対して３倍以下である。あるいは、前記板状部と前記回転基部との最短間隔は、１ｍｍ以上３０ｍｍ以下である。
【００１５】
また、前記フィンガガードの表面には防汚機能を有するコーティングがなされている。これにより、埃の付着を少なくできる。
さらに、前記軸流ファンユニットは、定期的あるいは電源ＯＮ／ＯＦＦに連動して一定の時間だけ、前記放熱部に向けて送風する際の前記ファンの回転方向と逆方向に、前記ファンを回転する機能を有する。これにより、ファンの逆回転を容易に行うことができる。
【００１６】
本発明の一態様に係る照明装置は、光源を有する照明器具と、前記光源を点灯させる電源ユニットとを備える照明装置において、前記照明器具は、上記構成の照明器具であり、前記照明器具と前記電源ユニットとの少なくとも一方は、軸流ファンユニットのファンの回転方向を切り替える切替機能を有する。
以下、本発明の実施形態について図面を用いて説明する。
【００１７】
＜第１の実施形態＞
１．全体構成
図１は第１の実施形態に係る照明装置の斜視図である。
照明装置１は電源ユニット３と照明器具５とを有する。電源ユニット３は商用電源に配線ケーブル７を介して電気的に接続される。電源ユニット３と照明器具５とは配線ケーブル９を介して電気的に接続されている。
【００１８】
電源ユニット３は、受電した商用電力を、照明器具５の発光部１５を発光させるための電力に変換する。照明器具５が電源ユニット３で変換された電力を受電することで発光部１５が発光する。ここでは、発光部１５は半導体発光素子であるＬＥＤにより構成され、電源ユニット３は直流電力に変換する。
２．各ユニット
（１）電源ユニット
電源ユニット３は、照明装置１がダウンライトであるため、天井裏に配設される。電源ユニット３は筐体１１と回路部とを有する。筐体１１は内部に回路部を収容する機能を有する。このため、回路部は、筐体１１内に収容されており、図１には現れていない。
【００１９】
筐体１１は、箱状をし、具体的には直方体状をしている。
回路部は、上述したように発光部１５を点灯・消灯させる他、熱放出部１９の軸流ファンユニット２９を回転・停止させる。なお、回路部についての詳細は後述する。
回路部は、具体的には、回路基板と、回路基板に実装された複数の電子部品とから構成される。回路基板は、例えば、ネジ部材等により筐体内１１に固定されている。
（２）照明器具
図２は、照明器具を発光部側から見た斜視図であり、図３の（ａ）は照明器具の断面図であり、（ｂ）は照明器具の平面図である。図４は、照明器具の分解斜視図である。なお、照明装置を中心軸の延長上であって上方から見たときを平面視とする。
【００２０】
照明器具５は、発光部１５、反射部１７、熱放出部１９を含む。発光部１５は、複数のＬＥＤから構成され、照明装置１の光源としての機能を有する。反射部１７は発光部１５から出射された光を所望の方向に反射させる機能を有する。熱放出部１９は発光部１５の発光時に生じた熱を放出する機能を有する。
照明器具５は、図３及び図４に示すように、複数の放熱フィン（以下、単に、「フィン」という。）２１を有する器具本体２３と、器具本体２３に装着された発光手段２５と、器具本体２３に装着された反射手段２７と、器具本体２３に装着された軸流ファンユニット２９とを備える。
【００２１】
ここで、発光部１５は主に発光手段２５により構成される。反射部１７は主に反射手段２７により構成され、熱放出部１９は器具本体２３のフィン２１と軸流ファンユニット２９とから構成される。
以下、各部について説明する。
（２―１）器具本体
器具本体２３は、発光手段２５を装着するための装着部分３５と、複数のフィン２１からなるフィン部分３７とを有する。なお、フィン部分は本発明の「放熱部」に相当する。
【００２２】
器具本体２３は、略下半分が碗状をし、この部分が装着部分３５である。複数のフィン２１は碗状の装着部分３５の底の外側に設けられている。ここで、装着部分３５の開口がある側を表側、開口と反対側（あるいは、フィン２１のある側）を裏側とする。
装着部分３５の内側に、より具体的にはその底に発光手段２５が装着され、この底の表面が装着領域３５ｂとなる。底の裏面からは、裏側（図３の（ａ）では上方である。）へと複数のフィン２１が延伸する。これにより、点灯時の熱が装着部分３５からフィン部分３７へと伝導される。
【００２３】
１つのフィン２１の形状は、裏側から見たときに、図４に示すように、矩形状をしている。ここで、矩形状の短辺が延伸している方向を横方向や短手方向といい、長辺が延伸している方向を縦方向や長手方向という。
複数のフィン２１は、ここでは、２０個ある。２０個のフィン２１は、短手方向の両端部分を除いて、２列状に設けられている。短手方向の中央部分の複数のフィン２１ａの高さは、図４に示すように、その両側のフィン２１ｂより低くなっている。
【００２４】
短手方向の両端に位置するフィン２１ｂは、軸流ファンユニット２９を装着するための一部の構成が設けられている。装着方法として、例えば螺合手段が採用され、一部の構成はネジ孔２１ｃである。
（２―２）発光手段
発光手段２５はＬＥＤを複数備えている。複数のＬＥＤは、図３の（ａ）に示すように、実装基板４３に実装されてなるモジュール４５として、器具本体２３に装着される。つまり、モジュール４５は、実装基板４３と、この実装基板４３に実装された複数のＬＥＤ（図示省略）と、複数のＬＥＤを被覆してＬＥＤを封止する封止部材４７（図２参照）とを有する。
【００２５】
実装基板４３の中央部分には貫通孔４３ａが形成されており、この貫通孔４３ａを裏側から表側へと挿通する配線ケーブル９の配線９２が、実装基板４３に形成されている配線パターンと接続されている。なお、接続は半田により行われている。
ここでは、複数のＬＥＤは、例えば、図２に示すように、６個のグループに分けられ、各グループが六角形の角部の位置に相当するように、円板状の実装基板４３に配設されている。封止部材４７は、ここでは、各グループを構成するすべてのＬＥＤを纏めて（すなわち、グループ単位で）被覆している。図２で現れているのは封止部材４７である。
【００２６】
発光手段２５は、図３の（ａ）に示すように、モジュール４５の他に反射板５１を備える。反射板５１は、ＬＥＤから発せられた光を表側の反射手段２７に向かわせるためのものである。具体的には、反射板５１は、ＬＥＤの各グループに対応して碗状に凹入する凹部５３を有している。凹部５３は、その凹入先端に開口５３ａを有し、凹部５３の周面が反射面５３ｂとなっている。なお、凹部５３の開口５３ａ内にＬＥＤ（封止部材４７）が位置する。
【００２７】
発光手段２５は前面パネル５５を有している。前面パネル５５は、主に、モジュール４５及び反射板５１を保護する機能を有する。前面パネル５５は光透性材料（例えば、樹脂材料である。）により構成されている。
発光手段２５を構成する部材、ここでは、モジュール４５、反射板５１及び前面パネル５５は、器具本体２３に固定される。固定方法として、例えば、係合手段が採用されている。
【００２８】
つまり、器具本体２３に形成されている溝５６に、反射板５１に設けられた凸部５７が係合する。また、器具本体２３に形成されている溝５８に、前面パネル５５をモジュール４５側に押さえるＣ字状の押さえ板５９の周縁が係合する。
（２−３）反射手段
反射手段２７は反射面６３を有する。反射手段２７は筒体６５と反射板６７とを備える。
【００２９】
筒体６５の内周面は、照明器具５の前面から後面に移るに従って内周径が小さくなる碗状をしている。この内周面に、内周面の形状に対応した反射板６７が設けられている。反射板６７は、筒体６５の内周面と対向する面の裏側の面（内周面）が反射面６３となっている。なお、反射面６３は、例えば、反射膜を形成したり、鏡面仕上げしたりすることで得られる。
【００３０】
反射板６７の筒体６５への装着方法としては、例えば、係合手段が採用されている。具体的には、反射板６７の前側の端部６７ａ及び後側の端部６７ｂを筒体６５の前側の端部６５ａ側及び後側の端部６５ｂ側に湾曲させることで、係合させている。
筒体６５は器具本体２３の前側に装着される。このため、筒体６５の裏面側には、筒体６５と器具本体２３とを装着させる一部の構成が設けられている。ここでは、装着方法として、螺合手段が採用され、ネジ部材６９（図１参照）と、器具本体２３の貫通孔と、筒体６５のネジ孔とで構成される。このネジ孔が上記の筒体６５の一部の構成である。
【００３１】
筒体６５は、前側の端部６５ａに筒体６５の径方向外方へと張り出す鍔部分９３を有する。これにより、照明器具５を天井の開口に装着したときに、照明器具５と天井の開口との隙間が隠される。
筒体６５は、天井の開口に挿入された際に、照明器具５を天井側に固定するための固定手段を有している。固定手段としては、図２に示すような、板バネ９５が利用されている。板バネ９５は、天井に挿入された状態では、外方に拡がろうとし、この復元力により、天井の開口の周面を押圧する。
（２−４）軸流ファンユニット
軸流ファンユニット２９はフィン２１の放熱を促進させるためのものである。軸流ファンユニット２９は、装着部材９９を介して器具本体２３に装着される。軸流ファンユニット２９は、ファン１１０を回転させることにより、フィン２１付近に空気を送風する。これにより、フィン２１の熱交換が促進される。
【００３２】
軸流ファンユニット２９は、基本構成として、ファン及び電気モータとを備える。ここでは、電気モータの回転子とファンとが一体になった構造を有している。
軸流ファンユニット２９は、図３の（ａ）に示すように、固定子１０７及び回転子１０９を備える。なお、回転子１０９に複数の羽根１０３が設けられている。なお、回転子１０９に羽根１０３が設けられたものをファン１１０とし、回転子１０９は本発明の「回転基部」に相当する。
【００３３】
固定子１０７はフレーム１０５により支持され、回転子１０９は、固定子１０７に対して回転自在に支持され、固定子１０７により回転力が与えられて回転する。固定子１０７は回転中心の周りに配された複数のコイルを備え、回転子１０９はコイルの外側に配された複数の永久磁石を備える。なお、電気モータは、固定子１０７と回転子１０９とで構成される。
【００３４】
羽根１０３は、回転子１０９から半径方向に放射状に延伸している。なお、ここでは羽根１０３の数は４枚であるが、この枚数に限定するものではない。
フレーム１０５は筒状をし、内部に固定子１０７及び回転子１０９が配されている。フレーム１０５は、固定子１０７を支持する支持部分１１３を器具本体２３側の端部に有している。支持部分１１３は、フレーム１０５の内周面からフレーム１０５の中心軸に向かって延伸する。
【００３５】
支持部分１１３は、複数個あり、中心軸付近（中心軸を含む領域である。）で固定子１０７と連結する。ここでは、フレーム１０５は、図１に示すように、その断面が四角形状をし、支持部分１１３が四角形状の４角（隅）から中心軸に向かって延伸する。
フレーム１０５は、図１及び図４に示すように、外周面から外方へと張り出す鍔部分１１５を支持部分１１３と反対側（上側である。）の端部に有している。鍔部分１１５は、フレーム１０５の中心に対して互いに対向する位置に設けられている。鍔部分１１５は、厚み方向（フレーム１０５の軸方向）に貫通する貫通孔１１７を有する。
【００３６】
フレーム１０５の上面、つまり、支持部分１１３が存する側と反対側の面には、図１及び図３に示すように、フィンガガード１２１が設けられている。
（２−５）フィンガガード
フィンガガード１２１は、ファン１１０の回転領域に異物（例えば、ドライバー等である。）が進入して羽根１０３と異物とが干渉するのを防止したり、フレーム１０５内への指の進入を防止したりするためのものである。
【００３７】
ここでのフィンガガード１２１は板状部１２３と網状部１２４とを備える。網状部１２４は円周線１２５と半径線１２７とからなる。
板状部１２３は固定子１０７の上方に配置されている。円周線１２５は、線状部材により円環状に構成され、板状部１２３の外側に配されている。ここでは、円周線１２５は２つある。それぞれの円周線１２５の直径が異なり、板状部１２３の中央を中心とする同心円上に配されている。
【００３８】
半径線１２７は径方向に延伸する線状部材により構成されている。半径線１２７は、その中間部分で円周線１２５と交差すると共に交差部分で円周線１２５と連結されている。
半径線１２７のフレーム１０５の中央側に位置する一方の端部は、板状部１２３に接続されている。半径線１２７の他方の端部がフレーム１０５に固定されている。フィンガガード１２１の固定は、例えば、半径線１２７の他端部がフレーム１０５の上面の穴に挿入されることで行われる。
【００３９】
軸流ファンユニット２９の器具本体２３の装着は、軸流ファンユニット２９を装着部材９９に固定し、装着部材９９を器具本体２３に固定することで行われる。装着部材９９は、図３の（ａ）に示すように、ここでは、平板状をしている。
軸流ファンユニット２９の装着部材９９への固定は、ここでは螺合方法が採用されている。具体的には、図１及び図３の（ａ）に示すように、ネジ部材１３１が利用されている。このネジ部材１３１は、軸流ファンユニット２９の鍔部分１１５の貫通孔１１７を通り、装着部材９９のネジ穴９９ａに螺合する。
【００４０】
装着部材９９の器具本体２３への固定は、ここでは螺合方法が採用されている。具体的には、図１に示すように、ネジ部材１３３が利用されている。このネジ部材１３３は、装着部材９９の貫通孔９９ｂを通り、フィン２１に設けられているネジ孔２１ｃに螺合する。
装着部材９９は、軸流ファンユニット２９のフレーム１０５が嵌る通過孔１３５を有する。通過孔１３５は、軸流ファンユニット２９を器具本体２３側と反対側から見たときの外周形状と一致している。
３．回路部
（１）構成
図５は、回路部の回路構成図である。
【００４１】
電源ユニット３の回路部は、商用電力を整流・平滑する整流平滑回路１５１と、整流平滑された電力を降圧させる降圧回路１５３と、降圧された電圧を利用して軸流ファンユニット２９のファン１１０を正転・逆転自在に回転させる回転切替回路１５５と、整流平滑された電圧を発光手段２５に合わせて変換する電圧変換回路１５７と、軸流ファンユニット２９の回転や発光手段２５の点灯等を制御する制御部１５９とを備える。
【００４２】
整流平滑回路１５１は、例えば、ダイオードブリッジ及び電解コンデンサを備える。降圧回路１５３は、ここでは、所謂降圧チョッパ回路が利用されている。軸流ファンユニット２９の電気モータは、ここでは直流モータである。このため、回転切替回路１５５として所謂Ｈブリッジ回路が利用されている。
電圧変換回路１５７は、例えば、昇圧回路や降圧回路、又はこれらを組み合わせた昇降圧回路である。電圧変換回路１５７は降圧回路１５３に対して並列に接続されている。なお、昇圧回路として、例えば、所謂昇圧チョッパ回路を利用できる。
【００４３】
ここで、Ｈブリッジ回路は、４つのスイッチング素子により構成され、チョッパ回路は、トランス、スイッチング素子、コンデンサから構成される。
制御部１５９は、例えば、降圧回路１５３の出力側に接続され、例えば、予めプログラミングされたＩＣが利用される。制御部１５９は、照明装置１を点灯させるための点灯スイッチ１６１に接続されている。
【００４４】
制御部１５９は、点灯スイッチ１６１がＯＮされると、電圧変換回路１５７に点灯指示をしたり、回転切替回路１５５にファン１００を正回転させるように正回転指示をしたりする。
具体的には、制御部１５９は、電圧変換回路１５７を構成するスイッチング素子をオン・オフしたり、回転切替回路１５５を構成するスイッチング素子をオン・オフしたりする。
【００４５】
制御部１５９は、点灯スイッチ１６１がＯＦＦされると、電圧変換回路１５７に消灯指示をしたり、回転切替回路１５５にファン１００を所定時間逆回転させるように回転切替指示をしたりする。
具体的には、電圧変換回路１５７のスイッチング素子をオン・オフしたり、回転切替回路１５５のスイッチング素子のオン・オフを逆にしたりする。
（２）制御回路のフローチャート
図６は、制御回路のフローチャートである。
【００４６】
制御回路は、スタートする（Ｓ１）と、点灯スイッチ１６１がＯＮされたかどうか判定する（Ｓ２）。ＯＮされていない場合（図中の「ＮＯ」である。）、オンされるまで点灯スイッチ１６１のＯＮ判定を行う。
点灯スイッチ１６１がＯＮされる（図中の「ＹＥＳ」である。）と、電圧変換回路１５７に点灯を指示し（Ｓ３）、回転切替回路１５５にファン１１０の正回転を指示する（Ｓ４）。
【００４７】
具体的には、点灯指示は、電圧変換回路１５７を構成しているスイッチング素子にオン信号を出力し、電圧変換回路１５７を起動させる。そして、所定のデューティ比のオン・オフ信号を出力する。これにより、所定値に変換された電圧が供給された発光手段２５が点灯する。
正回転指示は、回転切替回路１５５を構成しているスイッチング素子のうち、正回転する電流を流す一対のスイッチング素子に対してオン信号を出力する。これにより、所定方向の直流電流が軸流ファンユニット２９に供給され、ファン１１０が正回転する。
【００４８】
次に、点灯スイッチ１６１がＯＦＦされたかどうか判定する（Ｓ５）。ＯＦＦされていない場合（図中の「ＮＯ」である。）、ＯＦＦされるまで点灯スイッチのＯＦＦ判定を行う。
点灯スイッチ１６１がＯＦＦされる（図中の「ＹＥＳ」である。）と、電圧変換回路１５７に消灯を指示する（Ｓ６）。具体的には、電圧変換回路１５７を構成しているスイッチング素子にオフ信号を出力する。これにより電圧変換回路１５７が停止し、発光手段２５が消灯する。
【００４９】
その後、回転切替回路１５５にファン１１０の回転を逆回転に切り替える回転切替指示をする（Ｓ７）。具体的には、回転切替回路１５５の正回転時にオン信号を出力していたスイッチング素子にオフ信号を出力し、正回転時にオフ状態だったスイッチング素子にオン信号を出力する。これにより正回転時のスイッチング素子のオン・オフが逆転して、正回転時と逆向きの直流電流が軸流ファンユニット２９に供給され、ファン１１０が逆回転する。
【００５０】
次に、タイマーをスタートさせ（Ｓ８）、所定時間（例えば、３分である。）経過したか否かを判定する（Ｓ９）。所定時間が経過する（同図の「ＹＥＳ」である。）と、回転切替回路１５５にファン１１０の回転を停止させる回転停止指示をする（Ｓ１０）。具体的には、回転切替回路１５５のすべてのスイッチング素子に対してオフ信号を出力する。その後、タイマーをリセットし（Ｓ１１）、ステップＳ２に戻る。
４．埃の蓄積について
第１の実施形態で説明した照明装置１は、フィンガガード１２１として、板状部１２３を有するフィンガガード１２１を使用している。これにより、ファン１１０を逆回転させて、セルフクリーニングすることで、フィンガガード１２１上の埃の堆積量を少なくできる。
【００５１】
以下、照明装置１を長期間使用した場合の埃の蓄積について説明する。なお、第１の実施形態で説明した照明装置１を実施品とし、従来の構造のフィンガガードを有する照明装置を従来品とする。
図７は、照明装置を長期間使用した際の埃の蓄積量を説明する図である。
図では、左側に実施品を、右側に従来品を示し、上（図中の（ａ）である）から下（図中の（ｅ）である。）に移るに従って、使用期間が長くなる。
【００５２】
実施品は、フィンガガード１２１として、板状部１２３を有し、その周りに配された円環状の２つの円周線１２５が半径線１２７により連結されている。
従来品は、フィンガガード９００として、円環状の３つの円周線１２５が半径線１２７により連結されている。なお、実施品の板状部１２３の直径は、従来品の中央に位置する円周線１２５ａの外周の直径と同じである。また、ファン１１０に吸引される側を後側とし、ファン１１０から送風される側を前側とする。
【００５３】
実施品及び従来品は、（ａ）に示すように、ファン１１０が正回転する。これにより、ファン１１０の後側の空気がファン１１０に吸引され、円周線１２５や半径線１２７の間（通気口である。）を通り、ファン１１０の前側へと送風される。
やがて、（ｂ）に示すように、実施品では、円周線１２５と半径線１２７との交差部分に埃１７１ｂが堆積し、板状部１２３に埃１７１ａが堆積する。従来品でも、円周線１２５と半径線１２７の交差部分に埃９０３ａ，９０３ｂが堆積する。
【００５４】
点灯スイッチ１６１がＯＦＦされると、（ｃ）に示すように、実施品及び従来品は、ファン１１０を逆回転させて、フィンガガード１２１，９００に向けて送風する。
実施品では、板状部１２３上の埃１７１ａを残して、円周線１２５と半径線１２７との交差部分上の埃１７１ｂが吹き飛ばされる。従来品では、中央部分の埃、つまり、回転子１０９の上方に位置している円周線１２５と半径線１２７との交差部分上の埃９０３ａを残して、円周線１２５と半径線１２７との交差部分上の埃９０３ｂが吹き飛ばされる。
【００５５】
図８は、ファンの回転中の空気の流れを示した図であり、（ａ）はファンを正回転させた場合を示し、（ｂ）はファンを逆回転させた場合を示している。
ファン１１０が正回転すると、図８の（ａ）に示すように、ファン１１０の後側（上側）の空気を吸引して前側（下側）へと送風する。このとき、後側ではファン１１０の前面が低圧になり周囲から均一に空気が吸引されるため風速はほぼ均一である。これに対し、前側に送風する風力は、ファン１１０の中央部分、つまり、固定子１０７及び回転子１０９が存する部分の前方（下側）が弱く、回転中心から径方向外側に離れるに従って強くなっている。
【００５６】
一方、ファン１１０が逆回転すると、図８の（ｂ）に示すように、ファン１１０の後側（下側）の空気を吸引して前側（上側）へと送風する。このときも、前側に送風する風力は、ファン１１０の中央部分、つまり、固定子１０７及び回転子１０９が存する部分の前方（上側）が弱く、回転中心から径方向外側に離れるに従って強くなっている。
図９は、ファンが逆回転時の空気の流れを示し、（ａ）は従来品の場合を示し、（ｂ）は実施品の場合を示している。
【００５７】
図９において、ファン１１０の回転子１０９の上方を移動する空気の風力は、図８で説明したように、回転子１０９の上方部分の方が、回転子１０９の周辺部分よりも弱くなっている。
図９の矢印の長さが風力の強弱を模式的に示している。ここでは、空気の流れ（風の流れ）を矢印で表し、この空気の流れを示す矢印の引き出し線として一点鎖線を用い、他の引き出し線と区別する。
【００５８】
従来品では、図９の（ａ）に示すように、回転中心上を移動する空気９０５及び回転中心付近を移動する空気９０７は、まず、実線で示すように、ファン１１０から送風された方向に送風される。そして、その後も、破線で示すように、その方向に進む。
従来品では、回転子１０９の上方には空気の進行を妨げるものが、フィンガガード９００の円周線１２５ａしかなく、ファン１１０から上方に送風された空気９０５は、フィンガガード９００の影響をほとんど受けず、そのまま送風方向に進む。
【００５９】
実施品では、図９の（ｂ）に示すように、回転中心上を移動する空気１９１及び回転中心付近を移動する空気１９３は、まず、実線で示すように、ファン１１０から送風された方向に送風される。この実線部分は従来品及び実施品とも同じである。そして、その後は、破線で示すように、板状部１２３の下面に沿って外周側へと流れる。
実施品では、回転子１０９の上方には空気の進行を妨げる板状部１２３が存在する。このため、進行方向が板状部１２３により塞がれた空気１９１が板状部１２３の外周に集まることとなる。これにより、実施品では、板状部１２３の外周付近から吹き出す風力は、空気１９３に方向が遮られた空気１９１が加わり、結果的に強くなる。
【００６０】
なお、実施品における空気１９５と従来品における空気９０９とは、同じ方向に同じ風量で進行する。この空気１９５，９０９は回転子１０９の上方から少し離れた位置での空気である。
このように、従来品では、正回転時にはより均一な風速分布であるため、ファンガガード９００全体に均一に埃が堆積してしまう。一方、逆回転時にはファン１１０の回転子１０９上では風力が弱いため、図７の（ｃ）で示すように、ファン１１０の逆回転による風の力では回転子１０９上の埃９０３ａが吹き飛ばされず残存する。
【００６１】
逆に、実施品は、正回転時には板状部１２３以外のフィンガガード１２１部分にのみ通気があり、そちらに集中的に埃が堆積する。逆回転時にはファン１１０の回転子１０９上では風力が弱いが、板状部１２３があるため、当該板状部１２３により進行方向が塞がれた空気が板状部１２３の外周に集まる。これにより、風力が強くなり、板状部１２３から周縁に堆積した埃がファン１１０の逆回転により効率的に吹き飛ばされる。
【００６２】
図７に戻って、（ｃ）に示すようにファン１１０を逆回転させて、セルフクリーニングのあと、（ｄ）に示すように、通常の正回転によりフィン２１に向けて空気を送風する。そして、点灯スイッチ１６１がＯＦＦされたり、所定時間が経過したりすると、ファン１１０を逆回転させて、セルフクリーニングする。
使用時間が長くなるに従い、従来品では、（ｃ）に示すように、中央部分に埃９０３ａが残り始める。特に室内環境の場合には埃には繊維状のものが多く含まれ、一旦埃が残り（堆積し）始めると周辺を通過する埃を絡め取り、埃の蓄積が加速的に進むという問題がある。
【００６３】
それに対し、実施品では中央部には板状部１２３があるため、正回転時には気流が通過せず堆積量が少なくなるのに加え、逆回転時には板状部１２３の外周部分に気流が集中して、埃を吹き飛ばす効果が高くなる。これにより、板状部１２３の周辺へ埃の蓄積が成長することを防ぐことが可能となる。
このように長期に亘って、埃の蓄積、セルフクリーニングを繰り返すと、実施品の場合（ｅ）に示すように、板状部１２３上の埃１７１ａがさらに大きくなる。一方、従来品の場合、回転子１０９の上方に位置する円周線１２５と半径線１２７との交差部分に残存する埃９０３ａ同士がつながり、（ｅ）に示すように大型化する。これにより、フィンガガード９００の通気抵抗が大きくなる。
【００６４】
さらに好ましくは、フィンガガードに防汚機能を有するコーティング（例えばテフロン（登録商標）など）がされている。この場合にはフィンガガードへの埃の付着が減るとともに、逆回転時の埃の除去がより容易になり、さらに埃の蓄積を抑制する効果が高まる。
＜第２の実施形態＞
第１の実施形態では、板状部１２３の大きさは、平面視したときに、回転子１０９よりも少し大きい程度である。しかしながら、板状部の大きさは第１の実施形態に係る板状部１２３より大きくても良い。
【００６５】
第２の実施形態では、第１の実施形態の板状部よりも大きい板状部を有する照明装置について説明する。
１．構成
図１０は、第２の実施形態に係る照明器具であり、（ａ）は断面図、（ｂ）は平面図の一部である。
【００６６】
第２の実施形態に係る照明器具２０１は、器具本体２３、発光手段２５、反射手段２７、軸流ファンユニット２９及びフィンガガード２１１を備える。ここで、器具本体２３、発光手段２５、反射手段２７及び軸流ファンユニット２９は、第１の実施形態における器具本体２３、発光手段２５、反射手段２７及び軸流ファンユニット２９と同じ構成であり、同じ符号を用いる。
【００６７】
フィンガガード２１１は、軸流ファンユニット２９のフレーム１０５に装着されている。フィンガガード２１１は、図１０の（ｂ）に示すように、板状部２１３と装着足２１５とを有している。
板状部２１３は、フィン部分３７の中央の凹入部分２１ｄに位置部が挿入されているフレーム１０５の平面視形状と略同じ形状をしている。ここでは、板状部２１３は正方形状をしている。装着足２１５は、一方の端部が板状部２１３に固定されている。固定方法は、例えば、溶接が利用される。装着足２１５は板状部２１３の各角から斜め下方に延伸している。装着足２１５は、具体的には、線状体により構成されている。装着足２１５の長さは、板状部２１３とフレーム１０５との間に指等が入らないように設定されている。
【００６８】
フィンガガード２１１は、装着足２１５の他方の端部がフレーム１０５の上端の装着穴に挿入されている。なお、フレーム１０５と板状部２１３との間の隙間が、ファン１１０が正回転した際の空気の通気口２１７となっている。
軸流ファンユニット２９は、ここでは、前回のセルフクリーニングからの累計の使用時間が所定時間に達すると、一定時間ファンが逆回転するようになっている。
２．埃の蓄積
第２の実施形態で説明した照明器具２０１は、フィンガガードとして、板状部２１３を有するフィンガガード２１１を使用している。これにより、軸流ファンユニット２０５を逆回転させて、セルフクリーニングすることで、フィンガガード２１１の埃の堆積量を少なくできる。以下、照明器具２０１を長期間使用した場合の埃の蓄積について説明する。
【００６９】
図１１は、第２の実施形態に係る照明装置を長期間使用した際の埃の蓄積量を説明する図である。なお、ここでも、空気の流れ（風の流れ）を矢印で表し、この空気の流れを示す矢印の引き出し線として一点鎖線を用い、他の引き出し線と区別する。
軸流ファンユニット２９は、発光手段２５の点灯に合わせて、（ａ）に示すように、ファン１１０を正回転させる。これにより、軸流ファンユニット２９の後方の空気がファン１１０に吸引され、通気口２１７を通り、軸流ファンユニット２９の前方へと送風される。
【００７０】
このとき、平面視において、回転子１０９よりも大きく且つ略ファン１１０の回転領域の最外周と同じ大きさの板状部２１３を有しているため、板状部２１３の中央側であってその上方の空気２３１は、板状部２１３の周縁に向かう。
このため、板状部２１３の周縁周辺には、板状部２１３上を中央側から周縁（端）側へと向かう空気２３１が取入口２１７を通過する他の空気２３２に加わる。つまり、板状部２１３の周縁付近での吸引力が強くなる。
【００７１】
これにより、（ｂ）に示すように、板状部２１３の内側には埃２３３が蓄積するが、周縁周辺では埃が吸引されて蓄積し難くなる。当然、板状部２１３から側方へ張り出す埃２３３ａも少なくできる。
所定の使用時間が経過すると、（ｃ）に示すように、ファン１１０を逆回転させて、フィンガガード２１１に向けて送風する。
【００７２】
このとき、第１の実施形態で説明したように、回転中心上を移動する空気２３５及び回転中心付近を移動する空気２３７は、ファン１１０から送出された方向に送風される。その後、板状部２１３の下面に沿って外周側に流れる（図９の（ｂ）参照）。
これにより、板状部２１３の外周付近から吹き出す風力が強くなり、（ｃ）に示すように、板状部２１３から側方へ張り出す埃２３３ａが吹き飛ばされ、（ｄ）に示すように、板状部２１３の周縁に埃２３３が堆積するのを抑制できる。
＜変形例＞
１．軸流ファンユニット
（１）装着位置
実施形態では、フィン部分３７の中央部分が凹入し、この凹入部分に軸流ファンユニット２９が配されている。このため、照明器具５，２０１として、上面（裏面）が平坦となっている。
【００７３】
しかしながら、軸流ファンユニットは、フィンに空気を送風できれば良く、軸流ファンユニットの装着位置は限定するものではない。以下、実施形態と異なる態様で軸流ファンユニットを装着した例を変形例１として説明する。なお、変形例１では、軸流ファンユニットだけでなく、フィン部の構成も実施形態と一部異なる。
図１２は、変形例１に係る照明器具の斜視図である。
【００７４】
変形例１に係る照明器具３０１は、器具本体３０３、発光手段２５、反射手段２７、軸流ファンユニット３０５及びフィンガガード１２１を備える。ここで、発光手段２５及び反射手段２７は、実施形態における発光手段２５、反射手段２７及びフィンガガード１２１と同じ構成であり、同じ符号を用いる。
器具本体３０３は、その上部側が複数のフィン３０７が設けられたフィン部分３０９となっている。複数のファン３０７は高さが全て等しい。
【００７５】
軸流ファンユニット３０５は、装着部材３１１におけるフィン部分３０９と反対側の主面に載置された状態で、器具本体３０３に装着される。軸流ファンユニット３０５は、ファンが一定方向に正回転した時にフィン３０７側に送風する。また、軸流ファンユニット３０５は、逆回転可能な構成をしている。
軸流ファンユニット３０５は、そのフレーム３１５が装着部材３１１に、例えばネジ部材３１７を介して固定されている。また、装着部材３１１は器具本体３０３に取り付けられる。
【００７６】
軸流ファンユニット３０５には実施形態と同構成のフィンガガード１２１が設けられている。フィンガガード１２１は板状部１２３と網状部１２４とを有する。
（２）フレーム
実施形態では、軸流ファンユニット２９のフレーム１０５は平面視において正方形状をしていたが、他の形状あっても良い。以下、実施形態と異なるフレーム形状をした軸流ファンユニットの例を変形例２として以下説明する。
【００７７】
図１３は、変形例２に係る軸流ファンユニットを上方から見た図である。
変形例２に係る軸流ファンユニット３５１は、横断面形状が円形状をした円筒状のフレーム３５３を有する。フレーム３５３の外周側には、中心軸を挟んだ対向位置に鍔部分３５５がある。軸流ファンユニット３５１は、装着部材３５９へ装着する際にネジ部材３５７が鍔部分３５５の貫通孔を挿通して装着部材３５９のネジ穴に螺合することで、装着部材３５９に装着される。なお、装着部材３５９はネジ部材３６９により器具本体に装着されている。
【００７８】
本変形例２においても、フレーム３５３の上面には、フィンガガード３６１が装着されている。フィンガガード３６１は、中央部の板状部３６３と板状部３６３の外側に配された網状部３６４とを有する。なお、網状部３６４は円周線３６５及び半径線３６７からなる。
なお、変形例２におけるフレーム３５３の横断面形状は円形状であったが、他の形状でも良い。他の形状としては、楕円形状、多角形状等である。回転するファンの軌道とフレームの大きさを考慮すると、横断面形状は円形状、正方形等の正多角形状が好ましい。
２．器具本体
実施形態では、複数のフィン２１は器具本体２３の一部として設けられていたが、発光手段２５を装着する装着部材に装着される構造であっても良い。つまり、複数のフィンと、発光手段２５用の装着部材とが別部材として構成されていても良い。この場合、発光手段２５を装着する装着部材が器具本体となる。
【００７９】
複数のフィンと装着部材とを別部材とする構成としては、例えば、板状の基台と、基台から延伸する複数のフィンとを一体として有するフィン部材を、発光手段２５用の装着部材に取り付けることで実施できる。
また、実施形態では、器具本体２３と反射手段２７とは別の部材（別体）として構成され、反射手段２７を器具本体２３に装着している。
【００８０】
しかしながら、器具本体と反射手段とを１つの部材（一体）として構成しても良いし、発光手段を装着するための部材と反射手段とを１つの部材で構成し、フィン部材を装着するようにしても良い。
３．フィン
実施形態では、複数のフィン２１は、器具本体２３の厚み方向に延伸し、その延伸方向から見たときに、各フィン２１は矩形状をしている。つまり、各フィン２１は器具本体２３の厚み方向と直交する断面形状が矩形状で、前記厚み方向に延伸している。
【００８１】
しかしながら、フィンは、発光手段の発光時の熱を周辺空気に伝導、輻射、対流により放出できれば良く、その形状は特に限定するものではない。
以下、フィンの形状・構造についての変形例を説明する。
図１４は、変形例３に係るフィンの平面図である。
変形例３に係る複数のフィン４０１は、器具本体４０３の厚み方向（図中の紙面と直交する方向である。）に延伸する。複数のフィン４０１のそれぞれは、器具本体４０３の中央部分４０５を除いて、その周りに所定の間隔をおいて周方向に設けられている。つまり、複数のフィン４０１は、平面視において、放射状に配されている。なお、この器具本体４０３には、例えば、図１３に示す装着部材３５９が装着される。図中のネジ穴４０７は図１３のネジ部材３６９用である。
【００８２】
複数のフィン４０１の高さは、ここではすべて同じとしている。しかし、高さは、径方向に高低を付けても良いし、周方向に高さの異なるフィンを交互に配置しても良い。また、器具本体４０３の中央部分４０５に高さの低いフィンを放射状に設けても良い。
図１５は、変形例４に係るファンの平面図である。
変形例４に係る複数のフィン４２１は、器具本体４２３の厚み方向（図中の紙面と直交する方向である。）に延伸する。複数のフィン４２１のそれぞれは、厚み方向と直交する横断面が円形状をし、同心円状に設けられている。
【００８３】
なお、各フィン４２１は径方向に貫通する貫通孔４２５を有している。これによって、すべてのフィン４２１の周辺で軸流ファンによる空気の流動が生じるようになっている。
複数のフィン４２１の高さは、ここではすべて同じあるが、すべて同じに統一する必要はない。
図１６は、変形例５に係るフィンを有する照明器具の断面図である。
【００８４】
変形例５に係る複数のフィン４４３は、器具本体４４５の厚み方向と直交する方向（図中の左右方向である。）に延伸する。複数のフィン４４３のそれぞれは、器具本体４４５の中央部分４４７を除いて、その周りから直交する方向に平板状に延伸し、器具本体４４５の厚み方向に所定の間隔をおいて設けられている。
つまり、複数のフィン４４３からなるフィン部分４４９は、厚み方向に延伸する筒領域４５１と、筒領域４５１の外周から筒領域４５１の中心軸と直交する方向に板状に延伸する複数のフィン４４３とを備えている。
【００８５】
筒領域４５１には、筒領域４５１を貫通する貫通孔４５３を有している。これにより、すべてのフィン４４３の周辺で軸流ファンユニット４５５によって空気の流動が生じる。
軸流ファンユニット４５５は、器具本体４４５に装着される装着部材４５７にネジ部材等により取り付けられる。軸流ファンユニット４５５は、その上面にフィンガガード１２１が装着されている。
【００８６】
実施形態に係る軸流ファンユニット２９は筒状のフレーム１０５を有していたが、軸流ファンユニットは必ずしも筒状のフレームを有する必要はない。例えば、第１の実施形態の軸流ファンユニットを利用して説明すると、固定子１０７を支持する支持部分１１３をフィン部分３７に装着し、フレームをなくしても良い。
４．フィンガガード
第１の実施形態では、フィンガガード１２１を平面視したときに、板状部１２３が円形状をし、円周線１２５が円環状をしている。
【００８７】
しかしながら、フィンガガードは、指等の軸流ファンユニット（ファンの回転領域）への進入を防止することができれば、他の形状・構造をしていても良い。
以下、フィンガガードの形状・構造についての変形例について説明する。
図１７は、変形例６に係るフィンガガードの平面図である。
フィンガガード５０１は軸流ファンユニット３５１に装着されている。ここでの軸流ファンユニット３５１は変形例２で説明したものである（図１３参照）
フィンガガード５０１は、平面視において、全体形状として中央部分が塞がった碁盤の目状をしている。具体的に説明にすると、フィンガガード５０１は、正方形状の板状部５０３と、板状部５０３の外側に配された網状部５０４とを備える。
【００８８】
網状部５０４は、第１方向に延伸する第１線５０５と、第２方向に延伸する第２線５０７とを備える。
第１方向と第２方向とが直交する場合、第１線５０５と第２線５０７とは、縦線、横線となる。なお、第１線５０５と第２線５０７との交差部分が結合されている。交差部分での結合は、例えば、接着剤が利用されている。
【００８９】
図１８は、変形例７に係るフィンガガードの平面図である。
フィンガガード５２１は軸流ファンユニット３５１を覆うように設けられている。ここでの軸流ファンユニット３５１は変形例２で説明したものである（図１３参照）。
フィンガガード５２１は、平面視において、全体形状として中央部分が塞がった円環状をしている。全体の形状は、第１の実施形態におけるフィンガガード１２１と同じような形状をしている。
【００９０】
フィンガガード５２１は、円形状をした板状部５２３と、板状部５２３の外側に配された網状部５２４とを備える。網状部５２４は、直径の異なる円環状の円周線５２５と、径方向に延伸して円周線５２５と交差する部分を連結する半径線５２７とを備える。
円周線５２５は、複数あり、その最外周に位置する円周線５２５ａは軸流ファンユニット３５１のフレーム３５３よりも大きい。半径線５２７の一方の端部は板状部５２３と連結され、他方の端部は装着部材５３１に固定されている。なお、ここでの一方の端部は、軸流ファンユニット３５１の回転中心に近い側である。
【００９１】
半径線５２７の他端の装着部材５３１への固定は、例えば、半径線５２７を装着部材５３１の挿通孔５３３を表側から裏側へと挿通させ、挿通先端を装着部材５３１の裏面に沿うように折り曲げることで行われている。
また、第１の実施形態に係るフィンガガード１２１は、板状部１２３と網状部１２４を一体として有している。しかし、フィンガガードは、例えば、板状部を有する第１部材と、網状部を有する第２部材とを別々に備える構成であっても良い。
【００９２】
この場合、第１部材を軸流ファンユニットに設け、第２部材を軸流ファンユニットが装着される装着部材に設けても良い。逆に、第２部材を軸流ファンユニットに設け、第１部材を装着部材に設けるようにしても良い。
さらに、実施形態では、板状部は貫通孔を有していなかったが、例えば、回転中心上に貫通孔を有していても良い。
【００９３】
板状部の大きさは、回転子の直径（外径）に対して、１倍以上、３倍以下が好ましい。１倍より小さいと、板状部以外のフィンガガード部分へ集中的に埃を堆積させることができず、また、逆回転時に板状部により進行方向を塞がれる空気が少なくなり、板状部の外周付近での風力を強くできないからである。但し、羽根の形状によっては上記範囲でなくても良い場合がある。
【００９４】
逆に、３倍より大きくなると、通気部として確保される開口部の面積が小さくなり通気抵抗の増加による風量低下が起こり、その結果として冷却性能の確保が困難になる。
また、板状部と回転子との最短距離は、１［ｍｍ］以上、３０［ｍｍ］以下が好ましい。これは、最短距離が１［ｍｍ］より小さくなると、板状部と回転子とが接触する危険性が生じるからである。また、最短距離が３０［ｍｍ］より大きくなると、照明装置としての高さが大きくなりすぎるからである。ダウンライト等の照明装置は、天井に装着する場合が多く、高さの低いものが要望されている。
５．ファンの逆回転について
（１）タイミング
第１の実施形態におけるファン１１０逆回転は、照明装置１の点灯スイッチ１６１のＯＦＦに合わせて行われている。第２の実施形態における逆回転は、前回の逆回転から所定時間が経過した後に行われている。
【００９５】
しかしながら、逆回転のタイミングは、上記の２つの例に限定するものではない。例えば、点灯スイッチングのＯＮに合わせて行っても良い。この場合、前回の点灯スイッチのＯＮから長期間が経過し、フィンガガードの通気口が埃で詰まっているようなときがある。このようなとき、点灯スイッチのＯＮのときに逆回転させると、クリーニングでき、通気抵抗が大きい状態での点灯を短くできる。
【００９６】
また、夜中に人が寝静まったときに逆回転させても良い。この場合、人に知られずにクリーニングできる。この際、例えば、ファンの回転数を高めて、風力を強くすることもできる。なお、回転数を高めることで、風切り音が発生しても、人に気付かれ難い。
また、ファンが所定時間正回転すると、逆回転を行い。正回転と逆回転を繰り返すようにしても良い。具体例としては、例えば、１時間正回転をした後、３０秒間逆回転させ、これを繰り返す場合である。
（２）制御部
実施の形態では、ファン１１０の回転及び回転方向の切替制御は、電源ユニット３内の回路部で行われている。しかしながら、回転方向の切替制御は、例えば、軸流ファンユニットに設けた回路部（ＩＣ）により行っても良い。この場合、軸流ファンユニットは、ファン以外に、ＩＣ部を有し、当該ＩＣ部は、定期的あるいは電源ＯＮ／ＯＦＦに連動して一定の時間だけファンを逆回転させる機能を有する。
【００９７】
また、逆回転駆動力は、例えば、回路部内のコンデンサを利用しても良い。回転中にコンデンサを充電し、照明装置の点灯スイッチがＯＦＦされると、コンデンサに充電された電流を放出してファンを回転させても良い。
６．発光手段
実施形態では、発光手段２５の光源としてＬＥＤを利用したものについて説明した。これは、ＬＥＤを用いた照明器具において、軸流ファンの寿命がＬＥＤの寿命よりも短いためである。
【００９８】
しかしながら、本発明は、例えば、蛍光ランプ等光源を交換可能に備える照明装置に対しても適用できる。つまり、光源の寿命が軸流ファンユニットの寿命より短い場合でもあっても、照明器具を設置位置から取り外すことなく、光源を交換できるときは、軸流ファンユニットの寿命が問題となるためのである。
従って、発光手段は、ＬＥＤ等の半導体発光素子に限定するものではなく、従来から存する、電球、蛍光灯を光源とするものであっても良い。
７．反射手段
実施形態では、図３の（ａ）に示すように、反射手段２７の開口から天井の奥側に入り込んだ位置に発光手段２５が配されている。しかしながら、反射手段は必ずしも備える必要はない。例えば、天井の開口近くに、つまり、天井の奥側に入り込んでいない位置に発光手段２５が配されている場合や照明装置がスポットライト用のダウンライトの場合である。
８．照明器具
実施形態では、照明器具５として発光部１５が一体となったタイプを例にして説明したが、例えば、発光手段が器具本体に対して着脱自在（交換可能）に装着できるようなタイプであっても良い。
【００９９】
着脱自在な構造としては、発光部に接続する配線と、電源ユニットと接続する配線とを、例えば、互いに着脱自在なコネクタを利用して接続することで実施できる。
９．照明装置
実施形態では、照明装置１としてダウンライトタイプを例にして説明したが、他のタイプでも良い。他のタイプとしては、フィンと軸流ファンユニットとを有する照明器具が含まれていれば良い。例えば、天井に器具本体の一部又は全部を埋め込む埋込タイプや、壁に器具本体の一部を挿入するブラケットタイプがある。
【０１００】
また、実施形態では、照明装置１として、照明器具５と電源ユニット３とが別体となった２つのユニットから構成されたものについて説明している。しかしながら、電源ユニットが照明器具に組み込まれた１つのユニットから構成される照明装置であっても良い。
【符号の説明】
【０１０１】
１    照明装置
３    電源ユニット
５    照明器具
２１    フィン（放熱部）
２３    器具本体
２９    軸流ファンユニット
１０３    羽根
１０９    回転子（回転基部）
１１０    ファン
１２１    フィンガガード
１２３    板状部
１２４    網状部
【図１】
2014071980.tif 000003
【図２】
2014071980.tif 000004
【図３】
2014071980.tif 000005
【図４】
2014071980.tif 000006
【図５】
2014071980.tif 000007
【図６】
2014071980.tif 000008
【図７】
2014071980.tif 000009
【図８】
2014071980.tif 000010
【図９】
2014071980.tif 000011
【図１０】
2014071980.tif 000012
【図１１】
2014071980.tif 000013
【図１２】
2014071980.tif 000014
【図１３】
2014071980.tif 000015
【図１４】
2014071980.tif 000016
【図１５】
2014071980.tif 000017
【図１６】
2014071980.tif 000018
【図１７】
2014071980.tif 000019
【図１８】
2014071980.tif 000020